(57)【要約】【課題】トレリスの素材に金属棒を用いて対腐食性及び対強風雨に効果のある園芸用トレリスを形態別に多種類形成し，トレリス単体でも使用するが，該トレリス複数個を平面的及び立体的に組み合わせて任意の形状と大きさのトレリス集合体を提供することを目標とする。【解決手段】表面を非平滑仕上げとして更に段差，くぼみ等の凹凸を設けた直径５ｍｍ乃至２０ｍｍ程度の金属棒によって，持ち運び容易な大きさの円形，多角形など多種類の平面トレリスを作成する。作成した多種類の平面トレリスの中から任意の形状のもの複数個を，平面的又立体的に継ぎ具によって接続して組み立て，設置する場所に適した形態及び大きさのトレリス集合体を構成する。【選択図】　　図１
2004121200.tif 000002
【特許請求の範囲】
【請求項１】
表面が非平滑仕上げであって更に段差くぼみ等の凹凸を全表面に亘って設けた直径５ｍｍ乃至２０ｍｍ程度の径数種の金属棒を円形及び多角形など多
種類形態の平面板状に加工し形成した金属棒を用いたトレリス。
【請求項２】
形態及び接続方法に適合する継ぎ具を介して複数個を隣接接続し平面的又は立体的な集合体を組み立てることが可能な構造とする請求項１記載の金属
棒を用いたトレリス。
【０００１】
【発明の詳細な説明】
【発明の属する技術分野】
本発明は，園芸用トレリス（以下「トレリス」とする。）の素材に金属棒を用い，単数設置及び複数個組合せて任意の形状と大きさのトレリス集合体を構成することに関するものである。
【０００２】
【従来の技術】
近年，庭園用材として平面トレリスを間仕切り，観葉植物等の鉢植えの吊り下げなどに使用して庭園景観の変化を楽しむほか，居住区の室外装飾から室内装飾まで盛んに用いられるようになってきている。このため従来よりトレリスについての技術は広く知られており，次に記載する特許文献によっても公知となったトレリス技術は数多くある。
【０００３】
【特許文献１】
特開２００１−９５３９２号公報（第１〜第２頁，図２）
【特許文献２】
特開２００２−１７１７１号公報（第１〜第２頁，図１）
【特許文献３】
特開２００２−１０１７６４号公報（第１〜第２頁，図１）
【特許文献４】
特開平１１−３４６５７０号公報（第１〜第３頁，図２）
【特許文献５】
特開平１１−１６４６２５号公報（第１〜第２頁，図１）
【０００３】
【発明が解決しようとする課題】
従来，殆どのトレリスはその素材が木製トレリスであり，湿度の高い場所特に温室内などの高湿度の場所では腐食等による損傷が早く，不適切な素材とあったと言える。また，広い場所に大型の木製トレリスを使用する場合にはトレリス自体の強度不足から生ずる問題，加えて室外装飾に供した場合，強風雨などに耐えられるよう更に強固な構造を必要とするため，素材のみが不釣り合いに大きいトレリスとなって，意匠的な美観を損ねる形状になるなど改善すべき課題があつた。
【０００４】
一方，金属製トレリスを使用すればこのような欠点の解決は可能であるが，大型の金属製トレリスとなればなるほどその重量は増加し，移動困難な質量ともなる。さらに，諸条件から考えて便利に使用できる金属棒，つまり軽くて可撓性を持つ金属棒を素材としたトレリスにあっても表面が滑らかであるため，蔓が巻き付いても金属棒の表面をしっかり確保できず，先へ伸びられない現象が見受けられる。本発明は，従来の技術が有するこのような欠点に鑑みてなされたものであってその目的とするところは，トレリス素材の腐食を防ぎ，強風雨などの外力による破損を軽減し，さらに運搬が安易となる構造のトレリスを提供しようとするものである。上記の特許文献の内容については，本発明の技術思想とは異なり別の技術内容と思考する。
【０００５】
【課題を解決するための手段】
本発明は，上記目的を達成するために，次の如き手段を用いた。
１．表面を研磨しない非平滑のざらざら状態としたうえ更に段差などの凹凸を全表面に亘って設けた直径５ｍｍ〜２０ｍｍ程度の直状及び曲状金属棒をトレリスの素材とする。
２．上記素材の金属棒に屈折，湾曲，熔着，切断等の加工を施し，持ち運びが容易な大きさであって円形及び多角形など多種類の平面状のトレリスを作成する。
３．隣接接続するそれぞれのトレリスの形状等に適した形状の継ぎ具を用いたり，溶接或いはボルト等にて固着可能な構造とする。
４．トレリスは１個のみの設置が一般的であるが，庭園等の立地条件に対応し調和のとれた大小のトレリス集合体を構成することも可能な構造とし，任意な形状のトレリス複数個を隣接トレリスとして，左右及び上下並びに前後にそれぞれを接続して，平面的或いは立体的な構造のトレリス集合体を構成する。
【０００６】
【発明の実施例】
以上の如く構成した本発明の金属棒を用いたトレリスの実施例を図面によって説明する。図１は横方向に３個，上下方向に２段に構成した場合のトレリス及び各種継ぎ具，脚取付具，立脚等を分解斜視図として集合記載したものである。
【０００７】
図２においては，矩形状トレリスの説明図であって，表面に凹凸及び段差を設けた金属棒にて矩形状の外枠（１）を形成し，該外枠（１）の内部に内枠（２）及び格子（３）を構成した説明図である。
【０００８】図３においては，矩形状トレリスを垂直に設置した場合の安定と転倒防止のために，外枠（１）の下部水平部分全長にわたって数箇所に脚（４）を脚取付具（５）を介して固定する。図３の実施例においては２カ所。
【０００９】
図４は，矩形状トレリス３個を地上に直接設置して横に並べて接続した場合の分解斜視図であって，トレリス（Ａ）とトレリス（Ｂ）は相互がほぼ直角状の平面角度をもって継ぎ具（ニ）によって接続配列し，トレリス（Ｂ）とトレリス（Ｃ）は継ぎ具（ロ）によって接続され直線状に配列される。又右端のトレリス（Ｃ）は壁或いは柱に継ぎ具（ホ）によって接続固定するトレリス集合体の分解斜視図である。図４，図５において同形の継ぎ具の符号は１個のみに付け，他は省略した。
【００１０】
図５においては，矩形状トレリスを上下２段に接続し更に２段のまま横方向に３個を接続した状態の実施例図である。トレリス（Ａ）の上段にトレリス（Ａ２）を，トレリス（Ｂ）の上段にトレリス（Ｂ２）を，トレリス（Ｃ）の上段にトレリス（Ｃ２）をそれぞれ継ぎ具（ヘ）によって接続する。トレリス（Ａ）とトレリス（Ｂ）及びトレリス（Ａ２）とトレリス（Ｂ２）は継ぎ具（ニ）によってほぼ直角に平面角度を持って配置されるのは段落番号０００９の記載と同様である。
又トレリス（Ｂ）とトレリス（Ｃ）及びトレリス（Ｂ２）とトレリス（Ｃ２）を接続するには継ぎ具（ロ）を使用し，トレリス（Ｃ）とトレリス（Ｃ２）が壁面或いは柱面に上下段とも固定するため垂直角度の確保及び強度保持を目的とした形状の継ぎ具（ホ）を使用する。
【００１１】
【効果】
以上述べた如く，本発明のトレリスを実施例の如く使用した場合，次のような効果が認められる。
【００１２】
トレリス自体に強度かあるため，トレリスを多段に積み上げても横方向に多く接続しても，倒壊したり破損する恐れが少ない。
【００１３】
素材の金属棒に植物の蔓が巻き付いた場合，表面が非平滑状態であり且つ付けた凹凸及び段差等によって蔓は巻き付いたまま金属棒表面をしっかり確保する。
【００１４】
トレリスを形成する金属棒は木材を素材としたトレリスに比べて小径となり，トレリス全体の表面積が少なくなるため風に対する抵抗が少なく，加えて重量が大きいので安定して強風雨に対しても破壊及び転倒などの恐れはない。
【００１５】
庭園・温室など高温度高湿度な場所に長期間設置しても腐食による破損等の恐れは少ない。
【００１６】
本発明は，トレリスを設置する場所及び空間に合わせて，持ち運びが安易な大きさのトレリスを複数個継合わせて大きさを変化させたり，植物の蔓等と相俟って庭園植物の配置や，庭園の形づくりの骨格的役割を果たし，庭園の景観に意匠上の美的感覚を盛り込んだりすることに大きく寄与する。
【００１７】
素材が金属棒であるため，格子の強度は大きく，重量のある植木鉢等を格子に
懸架又は載置しても，安定して強いトレリスの役目を果たす。
【図面の簡単な説明】
【図１】トレリス及び各部品の集合斜視図である。
【図２】トレリス単体の斜視図である。
【図３】図２のトレリス分解斜視図である。
【図４】トレリス１段横３個の分解斜視図である。
【図５】トレリス２段横３個の分解斜視図である。
【図６】トレリスの各種継ぎ具の分解斜視図である。
【符号の説明】
１　　外枠
２　　内枠
３　　格子
４　　立脚
５　　脚取付具
【図１】
2004121200.tif 000003
【図２】
2004121200.tif 000004
【図３】
2004121200.tif 000005
【図４】
2004121200.tif 000006
【図５】
2004121200.tif 000007
【図６】
2004121200.tif 000008